(57)【要約】【課題】電子書籍に含まれるコンテンツの表示中において、ユーザが目的のコンテンツを閲覧するための操作負担を少なくする。【解決手段】電子書籍端末は、複数ページに区分された電子書籍に含まれるコンテンツを表示面１４１に表示し、表示面１４１とは反対側に設けられた裏面センサの操作面に対してユーザにより行われた裏面操作を検出する。電子書籍端末は、表紙に相当するコンテンツｓａ１の表示中に裏面センサを押す裏面操作を検出すると、その次のページである第１ページのコンテンツｓａ２にページ送りする。電子書籍端末は、第１ページのコンテンツｓａ２の表示中に裏面センサを押す裏面操作を検出すると、その次のページである第２ページのコンテンツｓａ３にページ送りする。電子書籍端末は、裏面操作に応じてページ送り（ページ単位でコンテンツの表示の切り替え）するのではなく、電子書籍単位でコンテンツの表示を切り替えることもできる。【選択図】図６
2014085768.tif 000002
【特許請求の範囲】
【請求項１】
複数ページに区分された電子書籍に含まれるコンテンツを表示面に表示する表示部と、
前記表示面とは反対側に設けられた操作面に対してユーザにより行われた第１操作を検出する操作検出部と、
前記コンテンツの表示中に前記操作検出部が検出した第１操作に応じて、前記ページ単位で又は前記電子書籍単位で前記コンテンツの表示を切り替えるように、前記表示部を制御する表示制御部と
を備える電子書籍端末。
【請求項２】
前記表示制御部は、
前記第１操作の操作方法に応じて、前記コンテンツの表示の切り替え方を異ならせる
請求項１に記載の電子書籍端末。
【請求項３】
前記表示制御部は、
前記第１操作において前記操作面が押された位置に応じて、前記コンテンツの表示の切り替え方を異ならせる
請求項２に記載の電子書籍端末。
【請求項４】
前記表示制御部は、
前記第１操作において前記操作面を押す力の大きさに応じて、前記コンテンツの表示の切り替え方を異ならせる
請求項２又は３に記載の電子書籍端末。
【請求項５】
前記表示制御部は、
第１の電子書籍から第２の電子書籍に切り替えてコンテンツを表示した後に、前記第１の電子書籍のコンテンツを再び表示する場合には、前記第２の電子書籍への切り替え直前に表示していたコンテンツを前記表示面に表示する
請求項１から４のいずれか１項に記載の電子書籍端末。
【請求項６】
前記操作検出部は、
前記第１操作と、前記表示面に対してユーザにより行われた第２操作とをそれぞれ検出し、
前記表示制御部は、
前記操作検出部が検出した第１操作と第２操作とに応じて、前記コンテンツの表示の切り替え方を異ならせる
請求項１から５のいずれか１項に記載の電子書籍端末。
【請求項７】
前記表示制御部は、
前記第１操作が検出された場合と前記第２操作が検出された場合とで、前記電子書籍のページ送りの方向を異ならせる
請求項６に記載の電子書籍端末。
【請求項８】
前記表示制御部は、
前記第１操作が検出されると、前記第２操作によって指定されたページ送り量で前記電子書籍のページ送りを行う
請求項６に記載の電子書籍端末。
【請求項９】
複数ページに区分された電子書籍に含まれるコンテンツを表示面に表示する電子書籍端末の、前記表示面とは反対側に設けられた操作面に対してユーザにより行われた操作を検出するステップと、
前記コンテンツの表示中に検出した前記操作に応じて、前記ページ単位で又は前記電子書籍単位で前記コンテンツの表示を切り替えるステップと
を有する電子書籍のコンテンツの表示方法。
【請求項１０】
複数ページに区分された電子書籍に含まれるコンテンツを表示面に表示するとともに、前記表示面とは反対側に設けられた操作面がユーザに操作される電子書籍端末のコンピュータに、
前記操作面に対してユーザにより行われた操作を検出するステップと、
前記コンテンツの表示中に検出した前記操作に応じて、前記ページ単位で又は前記電子書籍単位で前記コンテンツの表示を切り替えるステップと
を実行させるためのプログラム。
【発明の詳細な説明】
【技術分野】
【０００１】
本発明は、電子書籍に含まれるコンテンツをユーザの操作に従って表示するときの表示制御に関する。
【背景技術】
【０００２】
ユーザが手に持って操作することのできる表示装置には、表面（おもてめん）に画面表示する一方で、裏面からユーザの操作入力を受け付ける機能を有するものがある。特許文献１は、デジタルフォトフレームの裏面へのユーザの接触操作を検出して、表示内容に関する各種操作（具体的には、スライドショーの早送りや巻き戻し、一時停止等の操作）の入力を受け付けることを開示している。
【先行技術文献】
【特許文献】
【０００３】
【特許文献１】特開２０１０−１０８０７１号公報
【発明の概要】
【発明が解決しようとする課題】
【０００４】
ところで、表示端末のディスプレイで読むことのできる出版物として電子書籍がある。電子書籍に含まれるコンテンツを、携帯可能な表示端末を用いてユーザが閲覧する場合に、片方の手に荷物を持っていたり、電車やバスに乗車しているときにつり革を握っていたりすると、もう片方の手だけで表示端末を操作せざるを得ないことがある。よって、仮にユーザが片手だけで表示端末を操作した場合であっても、ユーザが目的のコンテンツを表示させてこれを閲覧できるように、コンテンツの表示中にユーザに強いられる操作負担はなるべく小さいことが望ましい。
そこで、本発明の目的は、電子書籍に含まれるコンテンツの表示中において、ユーザが目的のコンテンツを閲覧するための操作負担を少なくすることである。
【課題を解決するための手段】
【０００５】
上述した課題を解決するため、本発明の電子書籍端末は、複数ページに区分された電子書籍に含まれるコンテンツを表示面に表示する表示部と、前記表示面とは反対側に設けられた操作面に対してユーザにより行われた第１操作を検出する操作検出部と、前記コンテンツの表示中に前記操作検出部が検出した第１操作に応じて、前記ページ単位で又は前記電子書籍単位で前記コンテンツの表示を切り替えるように、前記表示部を制御する表示制御部とを備える。
【０００６】
本発明の電子書籍端末において、前記表示制御部は、前記第１操作の操作方法に応じて、前記コンテンツの表示の切り替え方を異ならせるようにしてもよい。
この発明の電子書籍端末において、前記表示制御部は、前記第１操作において前記操作面が押された位置に応じて、前記コンテンツの表示の切り替え方を異ならせるようにしてもよい。
この発明の電子書籍端末において、前記表示制御部は、前記第１操作において前記操作面を押す力の大きさに応じて、前記コンテンツの表示の切り替え方を異ならせるようにしてもよい。
【０００７】
本発明の電子書籍端末において、前記表示制御部は、第１の電子書籍から第２の電子書籍に切り替えてコンテンツを表示した後に、前記第１の電子書籍のコンテンツを再び表示する場合には、前記第２の電子書籍への切り替え直前に表示していたコンテンツを前記表示面に表示するようにしてもよい。
【０００８】
本発明の電子書籍端末において、前記操作検出部は、前記第１操作と、前記表示面に対してユーザにより行われた第２操作とをそれぞれ検出し、前記表示制御部は、前記操作検出部が検出した第１操作と第２操作とに応じて、前記コンテンツの表示の切り替え方を異ならせるようにしてもよい。
この発明の電子書籍端末において、前記表示制御部は、前記第１操作が検出された場合と前記第２操作が検出された場合とで、前記電子書籍のページ送りの方向を異ならせるようにしてもよい。又は、前記表示制御部は、前記第１操作が検出されると、前記第２操作によって指定されたページ送り量で前記電子書籍のページ送りを行うようにしてもよい。
【０００９】
本発明の電子書籍のコンテンツの表示方法は、複数ページに区分された電子書籍に含まれるコンテンツを表示面に表示する電子書籍端末の、前記表示面とは反対側に設けられた操作面に対してユーザにより行われた操作を検出するステップと、前記コンテンツの表示中に検出した前記操作に応じて、前記ページ単位で又は前記電子書籍単位で前記コンテンツの表示を切り替えるステップとを有する。
【００１０】
本発明のプログラムは、複数ページに区分された電子書籍に含まれるコンテンツを表示面に表示するとともに、前記表示面とは反対側に設けられた操作面がユーザに操作される電子書籍端末のコンピュータに、前記操作面に対してユーザにより行われた操作を検出するステップと、前記コンテンツの表示中に検出した前記操作に応じて、前記ページ単位で又は前記電子書籍単位で前記コンテンツの表示を切り替えるステップとを実行させるためのプログラムである。
【発明の効果】
【００１１】
本発明によれば、電子書籍に含まれるコンテンツの表示中において、ユーザが目的のコンテンツを閲覧するための操作負担を少なくすることができる。
【図面の簡単な説明】
【００１２】
【図１】電子書籍端末のハードウェア構成を示すブロック図。
【図２】電子書籍端末の外観の様子を表す図。
【図３】ユーザが電子書籍端末を把持したときの様子を示す図。
【図４】電子書籍端末の制御部の機能構成を示す機能ブロック図。
【図５】ページ送り動作の手順を示すフローチャート（第１実施形態）。
【図６】ページ送り動作による表示内容の変化の様子の説明図（第１実施形態）。
【図７】書籍切替動作の手順を示すフローチャート（第１実施形態）。
【図８】書籍切替動作による表示内容の変化の様子の説明図（第１実施形態）。
【図９】２ページ分のコンテンツを表示したときの表示内容を説明する図。
【図１０】ページ送り動作の手順を示すフローチャート（第２実施形態）。
【図１１】ページ送り動作による表示内容の変化の様子の説明図（第２実施形態）。
【図１２】ページ送り動作の手順を示すフローチャート（第３実施形態）。
【図１３】ページ送り動作による表示内容の変化の様子の説明図（第３実施形態）。
【図１４】ページ送り動作による表示内容の変化の様子の説明図（第４実施形態）。
【図１５】ページ送り動作による表示内容の変化の様子の説明図（第４実施形態）。
【発明を実施するための形態】
【００１３】
以下、図面を参照しつつ本発明の実施形態を説明する。
［第１実施形態］
図１は、本発明の第１実施形態である電子書籍端末１０のハードウェア構成を示すブロック図である。図１に示すように、電子書籍端末１０は、制御部１１と、操作部１２と、通信部１３と、表示部１４と、記憶部１５とを備える。電子書籍端末１０は、例えば、電子書籍に含まれるコンテンツを表示する電子書籍専用の表示端末である。
制御部１１は、ＣＰＵ（Central Processing Unit）、ＲＯＭ(Read Only Memory)、及びＲＡＭ（Random Access Memory）を有するマイクロコンピュータを備える。ＣＰＵは、ＲＯＭや記憶部１５に記憶されたプログラムをＲＡＭに読み出して実行することにより、電子書籍端末１０の各部を制御する。操作部１２は、裏面センサ１２１、表面センサ１２２及び図示せぬ物理キーを備え、ユーザに操作される操作装置である。通信部１３は、無線通信回路やアンテナを有し、ネットワークに接続して通信するためのインタフェースである。表示部１４は、例えば液晶ディスプレイであり、複数画素を配列した矩形の表示面１４１に画像を表示する。
【００１４】
記憶部１５は、例えばＥＥＰＲＯＭ（Electronically Erasable and Programmable ROM）やフラッシュメモリ等の記憶装置を備え、制御部１１により実行されるプログラムや電子書籍（ここでは、電子書籍Ａ〜Ｅ等）を記憶する。電子書籍は、複数ページに区分された各ページに割り当てられたコンテンツを含み、例えば、表紙や本文に相当するコンテンツを含む。電子書籍に含まれるコンテンツは、ユーザに視認される画像コンテンツであり、例えば、文字（文字列）や挿絵や図形等の文字以外の要素によって構成される。記憶部１５は、電子書籍端末１０にプリインストールされた電子書籍や、電子書籍端末１０を所有するユーザが購入した電子書籍を記憶している。
【００１５】
図２は、電子書籍端末１０の外観の様子を表す図である。図２（ａ）は、電子書籍端末１０の表面を平面視した様子を表す図である。図２（ｂ）は、電子書籍端末１０の裏面を平面視した様子を表す図である。
電子書籍端末１０は、全体として板状（薄い直方体状）に形成され、ユーザが片手に持つことができる程度の寸法の表示端末である。裏面センサ１２１は、電子書籍端末１０の裏面に設けられた操作面を有している。裏面センサ１２１は、ユーザの指等を操作面に接触させて行う接触操作を、例えば接触センサを用いて検出する。裏面センサ１２１は、少なくともユーザによる押す操作を検出すればよいが、ここでは、ユーザに押された位置を示す位置情報を制御部１１に供給する。裏面センサ１２１は、例えば静電容量型のセンサであるが、センサの検出方式は特に問わない。裏面センサ１２１が検出する操作のことを、以下では「裏面操作」（第１操作）という。
【００１６】
表面センサ１２２は、表示面１４１に重ねて設けられ、電子書籍端末１０の表面に設けられた操作面を有している。表面センサ１２２は、表示面１４１に表示された画像をユーザが視認するのを妨げないように、例えば透明の素材で形成されている。表面センサ１２２は、ユーザの指等が表示面１４１に接触している状態を検出するセンサである。表面センサ１２２は、例えば静電容量型のセンサであるが、センサの検出方式は特に問わない。表面センサ１２２は、ユーザの指等で指示された位置を検出すると、検出した位置を示す位置情報を制御部１１に供給する。表面センサ１２２が検出する操作のことを、以下では「表面操作」（第２操作）という。
【００１７】
図３は、ユーザが電子書籍端末１０を把持したときの様子を示す図である。図３（ａ）は、ユーザが電子書籍端末１０を右手で把持して表示面１４１に表示された画像を閲覧するときの様子を表す。図３（ｂ）は、ユーザが電子書籍端末１０を右手で把持したまま裏面操作を行ったときの様子を表す。
図３（ａ）に示すように、ユーザは右手で裏面側から包み込むように電子書籍端末１０を把持し、このとき、ユーザの指は表示面１４１に重ならない位置にある。図３（ｂ）に示すように、ユーザが右手を用いて裏面操作を行うとき、例えば人差し指で電子書籍端末１０の裏面センサ１２１を押す操作を行う。ユーザが電子書籍端末１０に対して裏面操作を行ったときには、ユーザの指は表示面１４１に重ならない。よって、ユーザが裏面操作を行ったとき、ユーザが表示面１４１に表示された画像を視認するのを自身の指によって妨げられてしまうことがない。
なお、ここでは図示しないが、ユーザが電子書籍端末１０に対して表面操作を行う場合には、例えば、ユーザは電子書籍端末１０を把持したまま右手の親指を表示面１４１に接触させる。また、ユーザが電子書籍端末１０を左手で把持した場合については、図３に関する前述の説明のうち、「右手」という言葉を「左手」に読み替えることで説明することができる。
【００１８】
図４は、電子書籍端末１０の制御部１１における、電子書籍の表示制御に関する機能構成を示す機能ブロック図である。図４に示すように、電子書籍端末１０の制御部１１は、操作検出部１１１と、表示制御部１１２とに相当する機能を実現する。
操作検出部１１１は、操作部１２に対してユーザにより行われた操作を検出する。操作検出部１１１は、裏面センサ１２１から操作信号（例えば位置情報を含む操作信号）を取得し、取得した操作信号に応じて裏面操作を検出する。また、操作検出部１１１は、表面センサ１２２から操作信号（例えば位置情報を含む操作信号）を取得し、取得した操作信号に応じて表面操作を検出する。
【００１９】
表示制御部１１２は、表示面１４１に所定の画像を表示するように、表示部１４を制御する。表示制御部１１２は、例えば、コンテンツの表示を開始する電子書籍を選択する操作が操作検出部１１１により検出されると、選択された電子書籍に含まれるコンテンツを表示面１４１に表示する。また、表示制御部１１２は、電子書籍に含まれるコンテンツの表示中に、操作検出部１１１が検出した裏面操作に応じた表示制御を行う。具体的に、表示制御部１１２は、コンテンツの表示中に検出された裏面操作に応じて、電子書籍のページ単位で又は電子書籍単位でコンテンツの表示を切り替える。
【００２０】
次に、電子書籍端末１０が電子書籍のコンテンツの表示中に行う表示制御の動作例を説明する。
（動作例１：ページ送り動作）
まず、動作例１を説明する。動作例１では、電子書籍端末１０がページ単位でコンテンツの表示を切り替える、「ページ送り動作」を行う。図５は、電子書籍端末１０におけるページ送り動作の手順を示すフローチャートである。図６は、ページ送り動作による表示面１４１の表示内容の変化の様子を説明する図である。
【００２１】
電子書籍端末１０は、例えば図３（ａ）に示す態様でユーザに把持された状態で、ユーザが閲覧しようとする電子書籍を選択する表面操作を検出すると、選択された電子書籍に含まれるコンテンンツの表示面１４１での表示を開始する（ステップＳＡ１）。ここで、電子書籍Ａがユーザにより選択されたとすると、電子書籍端末１０は、図６（ａ）に示すように電子書籍Ａの表紙に相当するコンテンツｓａ１を表示面１４１に表示する。コンテンツｓａ１は、例えば、電子書籍Ａのタイトルを意味する文字列を含む。
【００２２】
次に、電子書籍端末１０は、電子書籍のコンテンツの表示中に、裏面センサ１２１によって裏面操作を検出したかどうかを判断する（ステップＳＡ２）。電子書籍端末１０は、例えば図３（ａ）に示す態様でユーザに把持された状態が続いている等して、裏面操作を検出していないと判断すると（ステップＳＡ２；ＮＯ）、電子書籍のコンテンツの表示を終了するかどうかを判断する（ステップＳＡ３）。例えば、電子書籍端末１０は、電子書籍のコンテンツの表示中に所定の表面操作により表示終了が指示されたかどうかを判断する。
電子書籍端末１０は、電子書籍のコンテンツの表示を終了するための表面操作を検出していないと判断すると、ステップＳＡ３の処理で「ＮＯ」と判断し、ステップＳＡ２の処理に戻る。
【００２３】
ステップＳＡ２の処理に戻ると、電子書籍端末１０は、裏面操作を検出したかどうかを判断する。ここで、例えば図３（ｂ）に示すようにしてユーザにより裏面操作が行われると、電子書籍端末１０は裏面操作を検出したと判断する（ステップＳＡ２；ＹＥＳ）。電子書籍端末１０は裏面操作を検出すると、検出した裏面操作に応じて電子書籍のページ送りを行う（ステップＳＡ４）。具体的には、電子書籍端末１０は、同一の電子書籍内でページ番号を「１」だけ大きくするようにページ送りを行う。ここでは、電子書籍端末１０は、図６（ｂ）に示すように、電子書籍Ａの表紙の次のページである第１ページのコンテンツｓａ２を表示面１４１に表示する。コンテンツｓａ２は、例えば、電子書籍Ａの本文に記述された見出しである、「第一章」という文字列を含む。
なお、図６（ｂ）や他の図面の電子書籍のコンテンツを例示する図において、右下隅部又は左下隅部に算用数字を示している場合、この算用数字はコンテンツが割り当てられたページのページ番号を意味している。
【００２４】
電子書籍端末１０は、ステップＳＡ４の処理でページ送りを行うと、ステップＳＡ３の処理に進んで、電子書籍のコンテンツの表示を終了するかどうかを判断する。電子書籍端末１０は、コンテンツの表示を終了しないと判断すると（ステップＳＡ３；ＮＯ）、ステップＳＡ２の処理に戻って、裏面操作を検出したかどうかを判断する。
【００２５】
以降においても、電子書籍端末１０は、電子書籍のコンテンツの表示中に、上記処理ステップＳＡ２〜ＳＡ４を繰り返し実行し、裏面操作を検出するたびにページ送りを行う。例えば電子書籍端末１０は、電子書籍Ａの第１ページのコンテンツｓａ２の表示中に裏面操作を検出すると、ステップＳＡ４の処理でページ送りを行って、図６（ｃ）に示すように、電子書籍Ａの第２ページのコンテンツｓａ３を表示面１４１に表示する。以降も同様に、電子書籍端末１０は、裏面操作を検出するたびに、同一の電子書籍内でページ番号を「１」だけ大きくするようにページ送りを行って、ページ単位でコンテンツの表示を切り替える。
【００２６】
そして、電子書籍端末１０は、ステップＳＡ３の処理で電子書籍のコンテンツの表示を終了しないと判断すると（ステップＳＡ３；ＹＥＳ）、コンテンツの表示を終了する。
以上の動作例１によれば、電子書籍端末１０が、電子書籍のコンテンツを１ページずつページ送りしながら表示する場合に、ユーザは裏面操作を行うだけで、このページ送りの実行を電子書籍端末１０に指示することができる。
【００２７】
（動作例２：書籍切替動作）
次に、電子書籍端末１０が電子書籍単位でコンテンツの表示を切り替える、「書籍切替動作」を説明する。図７は、電子書籍端末１０における書籍切替動作の手順を示すフローチャートである。図８は、書籍切替動作における表示面１４１の表示内容の変化の様子を説明する図である。
この動作例２では、電子書籍端末１０は、ユーザにより行われた表面操作に応じて電子書籍のページ送りを行うものとする。電子書籍端末１０は、例えば、表示面１４１を指で押す操作（いわゆるタップ操作）を検出するとページ送りをしたり、表示面１４１を指でなぞる操作（いわゆるフリック操作）を検出するとページ送りをしたりする。
【００２８】
電子書籍端末１０は、例えば図３（ａ）に示す態様でユーザに把持された状態で、切り替えの対象とする（つまりユーザが閲覧する）複数の電子書籍を特定する（ステップＳＢ１）。例えば、電子書籍端末１０は、電子書籍の選択画面を表示面１４１に表示し、ユーザの表面操作によって、ユーザに複数の電子書籍を選択させるとよい。ここでは、電子書籍端末１０は、電子書籍Ａ，Ｂ及びＣを切り替えの対象の電子書籍として特定する。
【００２９】
次に、電子書籍端末１０は、ステップＳＢ１の処理で特定した複数の電子書籍のうち、いずれか１つの電子書籍に含まれるコンテンンツの表示面１４１での表示を開始する（ステップＳＢ２）。ここでは、電子書籍端末１０は、図８（ａ）に示すように、電子書籍Ａの表紙に相当するコンテンツｓｂ１を表示面１４１に表示する。
【００３０】
次に、電子書籍端末１０は、電子書籍のコンテンツの表示中に、裏面センサ１２１によって裏面操作を検出したかどうかを判断する（ステップＳＢ３）。電子書籍端末１０は、例えば図３（ａ）に示す態様でユーザに把持された状態が続いている等して、裏面操作を検出していないと判断すると（ステップＳＢ３；ＮＯ）、電子書籍のコンテンツの表示を終了するかどうかを判断する（ステップＳＢ４）。例えば、電子書籍端末１０は、電子書籍のコンテンツの表示中に所定の表面操作により表示終了が指示されたかどうかを判断する。
電子書籍端末１０は、電子書籍のコンテンツの表示を終了するための表面操作を検出していないと判断すると、ステップＳＢ４の処理で「ＮＯ」と判断し、ステップＳＢ３の処理に戻る。
【００３１】
ステップＳＢ３の処理に戻ると、電子書籍端末１０は、裏面操作を検出したかどうかを判断する。例えば図３（ｂ）に示すようにしてユーザにより裏面操作が行われると、電子書籍端末１０は裏面操作を検出したと判断する（ステップＳＢ３；ＹＥＳ）。この裏面操作を検出したときに、電子書籍端末１０は、図８（ｂ）に示すように電子書籍Ａの第１５ページのコンテンツｓｂ２を表示面１４１に表示していたとする。そして、電子書籍端末１０は、検出した裏面操作に応じて電子書籍を切り替える（ステップＳＢ５）。具体的には、電子書籍端末１０は、ステップＳＢ１の処理で特定した複数の電子書籍のうち、コンテンツの表示中でない他の電子書籍（ここでは、電子書籍Ｂ又はＣ）のコンテンツに表示を切り替える。ここでは、電子書籍端末１０は、図８（ｃ）に示すように、電子書籍Ｂの表紙に相当するコンテンツｓｂ３を表示面１４１に表示する。
ステップＳＢ５の処理で、電子書籍端末１０が電子書籍を切り替える際には、この切り替え直前に表示していたコンテンツを識別可能な閲覧情報を記憶部１５に記憶しておく。ここでは、電子書籍端末１０は、電子書籍Ａの第１５ページのコンテンツを表示していたことを示す閲覧情報を記憶しておく。
【００３２】
電子書籍端末１０は、ステップＳＢ５の処理で電子書籍を切り替えると、ステップＳＢ４の処理に進んで、電子書籍のコンテンツの表示を終了するかどうかを判断する。電子書籍端末１０は、コンテンツの表示を終了しないと判断すると（ステップＳＢ４；ＮＯ）、ステップＳＢ３の処理に戻って裏面操作を検出したかどうかを判断する。
【００３３】
以降においても、電子書籍端末１０は、電子書籍のコンテンツの表示中に、上記処理ステップＳＢ２〜ＳＢ５を繰り返し実行し、裏面操作を検出するたびに電子書籍を切り替える。例えば電子書籍端末１０は、図８（ｄ）に示すように、電子書籍Ｂの第４３ページのコンテンツｓｂ４の表示中に裏面操作を検出すると、電子書籍Ｂの第４３ページのコンテンツを表示していたことを示す閲覧情報を記憶部１５に記憶させてから、電子書籍Ｃのコンテンツを表示面１４１に表示する。ここでは、電子書籍端末１０は、図８（ｅ）に示すように、電子書籍Ｃの表紙に相当するコンテンツｓｂ５を表示面１４１に表示する。
【００３４】
その後、図８（ｆ）に示すように、電子書籍Ｃの第７ページのコンテンツｓｂ６の表示中に、電子書籍端末１０が裏面操作を検出したとする。この場合、電子書籍端末１０は、電子書籍Ｃの第７ページのコンテンツを表示していたことを示す閲覧情報を記憶部１５に記憶させてから、電子書籍Ａのコンテンツを表示面１４１に表示する。ただし、ここでは、電子書籍端末１０は、電子書籍Ａについて記憶しておいた閲覧情報に基づいて、電子書籍の切り替え後に表示するコンテンツを特定する。具体的には、電子書籍端末１０は、図８（ｂ）に示すように、電子書籍Ａの第１５ページのコンテンツｓｂ２を表示面１４１に表示する。すなわち、電子書籍端末１０は、切り替え後の電子書籍について最後に表示したコンテンツを、ステップＳＢ５の処理で表示する。よって、更にユーザにより裏面操作が行われて、電子書籍Ｂのコンテンツを表示するときには、電子書籍端末１０は、電子書籍Ｂについて記憶しておいた閲覧情報に基づいて、図８（ｄ）に示すように、電子書籍Ｂの第４３ページのコンテンツｓｂ４を表示面１４１に表示する。以降も同様に、電子書籍端末１０は、裏面操作を検出するたびに、電子書籍を切り替えてコンテンツを表示する。このように、電子書籍端末１０は、第１の電子書籍から第２の電子書籍に切り替えてコンテンツを表示した後に、第１の電子書籍のコンテンツを再び表示する場合には、第２の電子書籍への切り替え直前に表示していたコンテンツを表示面１４１に表示することとなる。
そして、電子書籍端末１０は、ステップＳＢ４の処理で電子書籍のコンテンツの表示を終了すると判断すると（ステップＳＢ４；ＹＥＳ）、その表示を終了する。
【００３５】
ユーザが複数の電子書籍のコンテンツを並行して閲覧したい場合に、電子書籍端末１０は、前述した動作例２の書籍切替動作を行う。例えば、ユーザが自身の使用言語（例えば日本語）と異なる言語（例えば英語）で記述された電子書籍Ａを閲覧するときに、この電子書籍に記述された言葉の意味を調べるために辞書（例えば英和辞典）に相当する電子書籍Ｂや、文法を解説した参考書である電子書籍Ｃを参照する場合に、ユーザはこの書籍切替動作を電子書籍端末１０に実行させる。また、電子書籍端末１０では、閲覧情報に基づいて、電子書籍の切り替え後に表示するコンテンツを特定する。以上のとおり、電子書籍端末１０は書籍切替動作を行うから、ユーザは、紙媒体の書籍を複数開いたままの状態でおいておき、これらの書籍を１つずつ順に閲覧するという利用に近い態様で、電子書籍のコンテンツを閲覧することができる。
【００３６】
前述した動作例２において、電子書籍端末１０は、電子書籍Ａ→電子書籍Ｂ→電子書籍Ｃ→電子書籍Ａ→電子書籍Ｂ→・・・という順で電子書籍を切り替えていたが、この切り替え順序についてはどのように決められてもよい。例えば、電子書籍端末１０は、ユーザにより選択された順序に従って電子書籍を切り替えてもよいし、購入した時期が新しい順や電子書籍のタイトル（書籍名）の５０音順に電子書籍を切り替えてもよく、どのような条件に従って電子書籍を切り替えてもよい。また、電子書籍端末１０が切り替える電子書籍の数は、２つであってもよいし４つ以上であってもよい。
【００３７】
（動作例３；ページ送り動作及び書籍切替動作）
電子書籍端末１０は、動作例１のページ送り動作と、動作例２の書籍切替動作とを並行して行うようにしてもよい。この場合、電子書籍端末１０は、動作例１，２で説明した動作を並行して行い、更に、ステップＳＡ２で検出の有無を判断する裏面操作と、ステップＳＢ３の処理で有無を判断する裏面操作との操作方法を異ならせるとよい。具体的に、電子書籍端末１０は、検出した裏面操作の操作方法に応じて、ページ送りを行うのか、電子書籍を切り替えるのかを判別するとよい。例えば、電子書籍端末１０は、裏面操作において裏面センサ１２１が１回だけ押された場合には、ステップＳＡ４の処理と同様に、ページ送りを行う。一方で、電子書籍端末１０は、裏面操作において裏面センサ１２１が２回連続して押された場合には（つまり、所定時間以内に２回押された場合には）、ステップＳＢ５の処理と同様に、電子書籍を切り替えるとよい。
電子書籍端末１０の動作の説明は以上である。
【００３８】
以上説明した第１実施形態では、電子書籍端末１０は、電子書籍のコンテンツを表示する際には、ユーザにより行われた裏面操作を検出するたびに、電子書籍のページ送りや電子書籍の切り替えを行ってコンテンツを表示する。これにより、電子書籍端末１０では、電子書籍のコンテンツの閲覧時に必要な操作を、片手だけでユーザに行わせることができる。このようにして、電子書籍端末１０では、電子書籍に含まれるコンテンツの表示中において、ユーザが目的のコンテンツを閲覧するための操作負担を少なくしている。
【００３９】
また、電子書籍端末１０は裏面操作によってコンテンツの表示を切り替えるので、コンテンツの表示を切り替えるためのユーザの操作に起因して、そのユーザの指が表示面１４１に重なることを防ぐことができる。これにより、電子書籍端末１０を操作する機会に、ユーザ自身の指によってコンテンツの閲覧が妨げられることもない。
また、電子書籍端末１０では、ユーザが電子書籍端末１０の裏面を押す操作に応じて次々とコンテンツを切り替える。言い換えれば、電子書籍端末１０では、電子書籍端末１０を裏面側から表面側の方向に押す操作によって、裏面側に位置するページのコンテンツ又は裏面側に位置する電子書籍のコンテンツが裏面側から表面側に移動するような表示制御が行われる。よって、ユーザにしてみてば、裏面操作に応じて電子書籍端末１０においてどのようにコンテンツの表示が切り替わるのかを直感的に把握しやすい。
【００４０】
［第２実施形態］
次に、本発明の第２実施形態を説明する。
上述した第１実施形態の動作例１では、電子書籍端末１０は、コンテンツを１ページ分だけ表示面１４１に表示し、裏面操作の検出によって１ページ単位でページ送りを行っていた。この第２実施形態では、電子書籍端末１０が複数ページのコンテンツを同時に表示面１４１に表示し、且つ、コンテンツの表示の切り替え方を裏面操作の操作方法に応じて異ならせる。
この実施形態の電子書籍端末１０のハードウェア構成は、上述した第１実施形態と同じであるから、ここではその説明を省略する。以下の説明において、上述した第１実施形態と同じハードウェア構成及び処理ステップについては同一の符号を付して表し、その説明については適宜省略する。
なお、電子書籍端末１０における電子書籍切替動作は上述した第１実施形態と同じでよいから、ここではその説明を省略する。
【００４１】
図９は、電子書籍端末１０に２ページ分のコンテンツを表示したときの表示面１４１を説明する図である。図９に示すように、この実施形態では、電子書籍端末１０の長辺方向を左右方向に一致させた状態でコンテンツを表示し、紙媒体の書籍を見開きにしたような態様で２ページ分のコンテンツを表示している。ここでは、或る電子書籍のコンテンツのうち、第１２ページのコンテンツｓｃ１と第１３ページのコンテンツｓｃ２とが表示されているものとする。
【００４２】
図１０は、この実施形態の電子書籍端末１０におけるページ送り動作の手順を示すフローチャートである。図１１は、ページ送り動作による表示面１４１の表示内容の変化の様子を説明する図である。
電子書籍端末１０は、例えば図３（ａ）に示す態様でユーザに把持され、ユーザが閲覧しようとする電子書籍を選択する表面操作を検出すると、選択された電子書籍に含まれるコンテンンツの表示面１４１での表示を開始する（ステップＳＡ１）。ここでは、電子書籍端末１０は、図９に示すように、第１２ページのコンテンツｓｃ１と第１３ページのコンテンツｓｃ２とを表示させる。コンテンツｓｃ１，ｓｃ２はそれぞれ表示面１４１における一部の領域に表示されている。
【００４３】
次に、電子書籍端末１０は、コンテンツの表示中に、裏面センサ１２１によって裏面操作を検出したかどうかを判断する（ステップＳＡ２）。電子書籍端末１０は、裏面センサ１２１によって裏面操作を検出するか、コンテンツの表示を終了するまでは、ステップＳＡ２；ＮＯ→ステップＳＡ３；ＮＯ→ステップＳＡ２；ＮＯ・・・の処理ステップを繰り返す。
電子書籍端末１０は、ステップＳＡ２の処理で裏面センサ１２１によって裏面操作を検出したと判断すると（ステップＳＡ２；ＹＥＳ）、どのコンテンツに対する裏面操作を検出したかに応じて電子書籍のページ送りを行う（ステップＳＡ４ａ）。ここにおいて、電子書籍端末１０は、裏面操作の操作位置の反対側で表示中のコンテンツに応じたページ送りを行う。
【００４４】
具体的に、電子書籍端末１０は、第１２ページのコンテンツｓｃ１の反対側を指示する裏面操作を検出した場合、つまり、表示中のコンテンツのうちページ番号が小さい方のコンテンツに対する裏面操作を検出した場合、ページ番号を小さくする方向にページ送りを行う。ここでは、電子書籍端末１０は、図１１（ａ）に示すように、表示中の第１２ページ及び第１３ページのコンテンツｓｃ１，ｓｃ２を、第１０ページ及び第１１ページのコンテンツｓｃ３，ｓｃ４に表示を切り替える。一方で、電子書籍端末１０は、第１３ページのコンテンツｓｃ２の反対側を指示する裏面操作を検出した場合、つまり、表示中のコンテンツのうちページ番号が大きい方のコンテンツに対する裏面操作を検出した場合、ページ番号を大きくする方向にページ送りを行う。ここでは、電子書籍端末１０は、図１１（ｂ）に示すように、表示中の第１２ページ及び第１３ページのコンテンツｓｃ１，ｓｃ２を、第１４ページ及び第１５ページのコンテンツｓｃ５，ｓｃ６に表示を切り替える。
電子書籍端末１０は、ステップＳ４ａの処理でページ送りを行うと、ステップＳＡ３の処理に進む。その他の電子書籍端末１０の動作は上述した第１実施形態と同じでよい。
【００４５】
以上説明した第２実施形態では、電子書籍端末１０は、電子書籍に含まれる複数のコンテンツを同時に表示する場合に、どのページのコンテンツに対する裏面操作を検出したかに応じて、コンテンツの表示の切り替え方を異ならせる。ユーザは、ページ番号を小さくする方向にページ送りする場合には、ページ番号の小さい方のページに対する裏面操作を行い、ページ番号を大きくする方向にページ送りする場合には、ページ番号の大きい方のページに対する裏面操作を行えばよい。この電子書籍端末１０によれば、ページ送りの方向と裏面操作の操作方法との関係をユーザが直感的に把握しやすくなる。
これ以外にも、この実施形態の電子書籍端末１０によれば、上述した第１実施形態と同等の効果を奏する。
【００４６】
［第３実施形態］
次に、本発明の第３実施形態を説明する。
この第３実施形態では、電子書籍端末１０は、裏面操作において裏面センサ１２１をユーザが押したときの押圧力に応じて、コンテンツの表示の切り替え方を異ならせる。
この実施形態の電子書籍端末１０のハードウェア構成は、上述した第１実施形態と同じであるから、ここではその説明を省略する。以下の説明において、上述した第１実施形態と同じハードウェア構成及び処理ステップについては同一の符号を付して表し、その説明については適宜省略する。ただし、裏面センサ１２１は、裏面操作の検出の有無だけでなく、裏面操作においてユーザの指が裏面センサ１２１を押したときの押圧力を検出することができるように、例えば圧力センサを備えている。
なお、電子書籍端末１０における電子書籍切替動作は上述した第１実施形態と同じでよいから、ここではその説明を省略する。
【００４７】
次に、ユーザが電子書籍の閲覧を開始した後に閲覧しようとするページを決定するときの動作とを説明する。
図１２は、この実施形態の電子書籍端末１０におけるページ送り動作の手順を示すフローチャートである。図１３は、ページ送り動作による表示面１４１の表示内容の変化の様子を説明する図である。
電子書籍端末１０は、例えば図３（ａ）に示す態様でユーザに把持され、ユーザが閲覧しようとする電子書籍を選択する表面操作を検出すると、選択された電子書籍に含まれるコンテンンツの表示面１４１での表示を開始する（ステップＳＡ１）。ここでは、電子書籍端末１０は、図６（ａ）に示すように、電子書籍Ａの表紙に相当するコンテンツｓａ１を表示するものとする。
次に、電子書籍端末１０は、電子書籍のコンテンツの表示中に、裏面センサ１２１によって裏面操作を検出したかどうかを判断する（ステップＳＡ２）。電子書籍端末１０は、裏面センサ１２１によって裏面操作を検出するか、コンテンツの表示を終了するまでは、ステップＳＡ２；ＮＯ→ステップＳＡ３；ＮＯ→ステップＳＡ２；ＮＯ・・・の処理ステップを繰り返す。
【００４８】
電子書籍端末１０は、ステップＳＡ２の処理で裏面センサ１２１によって裏面操作を検出したと判断すると（ステップＳＡ２；ＹＥＳ）、裏面操作における押圧力に応じてページ送り行う（ステップＳＡ４ｂ）。ここにおいて、電子書籍端末１０は、裏面操作における押圧力が大きいほど、ページ送り量（ここでは、１回のページ送りで遷移させるページ数）を多くしてページ送りを行う。電子書籍端末１０は、ここでは、３段階でページ送り量を決定する。ここで、電子書籍端末１０は、裏面センサ１２１によって検出した押圧力が第１閾値未満であれば、上述した第１実施形態と同様に１ページ分だけページ送りを行い、図１３（ａ）に示すように第１ページのコンテンツｓｄ１に表示を切り替える。電子書籍端末１０は、押圧力が第１閾値以上第２閾値未満であれば、５ページ分のページ送りを行って、図１３（ｂ）に示すように第５ページのコンテンツｓｄ２に表示を切り替える。電子書籍端末１０は、押圧力が第２閾値以上であれば、１０ページ分のページ送りを行って、図１３（ｃ）に示すように第１０ページのコンテンツｓｄ３に表示を切り替える。
電子書籍端末１０は、ステップＳ４ｂの処理でページ送りを行うと、ステップＳＡ３の処理に進む。その他の電子書籍端末１０の動作は上述した第１実施形態と同じでよい。
【００４９】
以上説明した動作において、電子書籍端末１０は、３段階でページ送り量を決定していたが、２段階でページ送り量を決定してもよいし、４段階以上でページ送り量を決定してもよい。また、電子書籍端末１０は、上述した第２実施形態のように、複数ページのコンテンツを同時に表示面１４１に表示する場合にも、押圧力に応じてページ送り量を異ならせてもよい。この場合、電子書籍端末１０は、裏面操作の検出位置に応じてページ送りの方向を決定するとともに、押圧力の大きさに応じてページ送り量を決定すればよい。また、電子書籍端末１０では、裏面操作における押圧力を検出するために圧力センサを用いるのではなく、別のセンサを用いてもよい。例えば、電子書籍端末１０は、接触センサにおいて接触面積の大きさを参照して押圧力の大きさを特定してもよい。この場合、電子書籍端末１０は、接触面先が大きいほど押圧力が大きいと推測することができるためである。
【００５０】
以上説明した第３実施形態では、電子書籍端末１０は、裏面操作における裏面センサ１２１を押す力の大きさによってページ送り量を異ならせる。これにより、ユーザは、裏面操作における裏面センサ１２１を押す力の大きさとページ送り量との関係を直感的に把握しやすい。
これ以外にも、この実施形態の電子書籍端末１０によれば、上述した第１実施形態と同等の効果を奏する。
【００５１】
［第４実施形態］
次に、本発明の第４実施形態を説明する。
この第４実施形態では、電子書籍端末１０が表面操作と裏面操作とに応じてコンテンツの表示の切り替え方を異ならせる。
この実施形態の電子書籍端末１０のハードウェア構成は、上述した第１実施形態と同じであるから、ここではその説明を省略する。以下の説明において、上述した第１実施形態と同じハードウェア構成及び処理ステップについては同一の符号を付して表し、その説明については適宜省略する。
なお、電子書籍端末１０における電子書籍切替動作は上述した第１実施形態と同じでよいから、ここではその説明を省略する。
【００５２】
（動作例１：表面操作と裏面操作とでページ送りの方向を異ならせる）
この動作例１では、電子書籍端末１０は、表面操作と裏面操作とでページ送りの方向を異ならせる。電子書籍端末１０は、裏面操作を検出した場合には、上述した第１実施形態と同様にして、ページ番号を大きくする方向にページ送りを行う。図１４（ａ）に示すように、電子書籍端末１０が第１４ページのコンテンツｓｅ１の表示中に裏面操作を検出すると、図１４（ｂ）に示すように、第１５ページのコンテンツｓｅ２に表示を切り替えるようにページ送りを行う。一方で、電子書籍端末１０は、表面操作を検出した場合には、ページ番号を小さくする方向にページ送りを行う。電子書籍端末１０は、第１４ページのコンテンツｓｅ１の表示中に表面操作を検出すると、図１４（ｃ）に示すように、第１３ページのコンテンツｓｅ３に表示を切り替えるようにページ送りを行う。
この動作例１によれば、電子書籍端末１０は、電子書籍においてページ送りする方向がどちらであっても、ユーザは片手だけの操作を行えばよい。
【００５３】
（動作例２：表面操作でページ送り量を指定して、裏面操作でページ送りを行う）
この動作例２では、電子書籍端末１０は、表面操作でページ送り量を指定して、裏面操作でページ送りを行う。電子書籍端末１０は、表示面１４１に指等を接触させる表面操作を検出した場合には、図１５（ａ）に示すように、コンテンツｓｆ１と、互いに異なるページ送り量を記述したオブジェクトｂ１〜ｂ６とを表示面１４１に表示する。ここでは、オブジェクトｂ１は、ページ送り量として「＋１０」に対応し、オブジェクトｂ２は、ページ送り量として「＋５」に対応し、オブジェクトｂ３は、ページ送り量として「＋１」に対応し、オブジェクトｂ４は、ページ送り量として「−１」に対応し、オブジェクトｂ５は、ページ送り量として「−５」に対応し、オブジェクトｂ６は、ページ送り量として「−１０」に対応する。ここにおいて、ページ送り量が「＋」の場合は、ページ番号を大きくする方向であることを意味し、ページ送り量が「−」の場合は、ページ番号を小さくする方向であることを意味する。
【００５４】
電子書籍端末１０は、オブジェクトｂ１〜ｂ６のいずれかが表面操作で選択されると、選択されたオブジェクトに応じてページ送り量を決定する。そして、電子書籍端末１０は、裏面操作が検出されると、決定したページ送り量でページ送りを行う。電子書籍端末１０は、図１５（ｂ）に示すようにオブジェクトｂ２がユーザの表面操作により選択された場合、次にオブジェクトの選択変更が行われるまでは、裏面操作を検出するたびにページ番号が大きくなる方向に、５ページ単位でページ送りを行って、コンテンツｓｆ２，ｓｆ３を表示させる（図１５（ｃ），（ｄ）参照）。ここにおいて、電子書籍端末１０は、オブジェクトの選択後、所定期間継続して裏面操作を検出しなければ、ページ送り量を１ページに戻してもよい。
この動作例２によれば、ユーザがページ送り量を様々に変化させたい場合であっても、電子書籍端末１０は、ユーザの片手の操作によって所望のページ送り量を決定してページ送りを行うことができる。
【００５５】
以上説明した第４実施形態によれば、電子書籍端末１０は、ページ送りによるコンテンツの表示の切り替え方をより詳細に設定可能にする場合に、表面操作によってこれを実現することができる。これ以外にも、この実施形態の電子書籍端末１０によれば、上述した第１実施形態と同等の効果を奏する。
【００５６】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
上述した第１実施形態の動作例３では、電子書籍端末１０は、裏面操作において裏面センサ１２１を押す操作の回数に応じてページ送り動作を行うのか、電子書籍切替動作を行うのかを判別していたが、裏面操作の他の操作方法に応じて判別してもよい。例えば、電子書籍端末１０は、裏面操作における押圧力を検知して、押圧力が閾値以上であれば、電子書籍切替動作を行い、押圧力が閾値未満であれば、ページ送り動作を行ってもよい。これ以外にも、電子書籍端末１０は、裏面センサ１２１における操作位置に応じて、ページ送り動作を行うのか、電子書籍切替動作を行うのかを判別してもよい。例えば、裏面センサ１２１の中央部が操作されれば、電子書籍端末１０は電子書籍切替動作を行い、裏面センサ１２１の端部が操作されれば、電子書籍端末１０はページ送り動作を行う。
また、電子書籍端末１０は、裏面センサ１２１を押す操作以外の裏面操作の操作方法でページ送りの方向を異ならせてもよい。電子書籍端末１０は、裏面センサ１２１を指でなぞるスライド操作における指の移動方向や移動量、ユーザの２本の指を裏面センサ１２１に接触させてそれらの距離を狭めたり広くしたりする操作等に応じて、ページ送り動作を行うのか、電子書籍切替動作を行うのかを判別してもよい。
【００５７】
（変形例２）
上述した第２実施形態において、電子書籍端末１０は、裏面操作の操作位置に応じてページ送りの方向を異ならせていたが、裏面操作の他の操作方法に応じてページ送りの方向を異ならせてもよい。
例えば、電子書籍端末１０は、裏面操作における押圧力を検知して、押圧力が閾値以上であれば、ページ番号を大きくする方向にページ送りを行い、押圧力が閾値未満であれば、ページ番号を小さくする方向にページ送りを行ってもよい。また、電子書籍端末１０は、例えば、１回だけ裏面センサ１２１を押す裏面操作を検出すると、ページ番号を大きくする方向にページ送りを行い、２回連続して裏面センサ１２１を押す裏面操作を検出すると、ページ番号を小さくする方向にページ送りを行ってもよい。また、電子書籍端末１０は、第２実施形態のように、裏面センサ１２１における操作位置に応じて、ページ送りの方向を異ならせてもよい。
【００５８】
電子書籍端末１０は、押す操作以外の操作方法でページ送りの方向を異ならせてもよく、裏面センサ１２１を指でなぞるスライド操作が行われた場合に、スライド操作における指の移動方向や移動量に応じてページ送りの方向を異ならせてもよい。また、電子書籍端末１０は、ユーザの２本の指を裏面センサ１２１に接触させてそれらの距離を狭めたり広くしたりする操作に応じて、ページ送りの方向を異ならせてもよい。
なお、上述した第２実施形態では、電子書籍端末１０は２ページ分のコンテンツを同時に表示面１４１に表示していたが、１ページ分のコンテンツだけを表示してもよいし、３ページ分以上のコンテンツを表示してもよい。
【００５９】
（変形例３）
上述した第３実施形態において、電子書籍端末１０は、裏面操作の押圧力に応じてページ送り量を異ならせていたが、裏面操作の他の操作方法に応じてページ送り量を異ならせてもよい。例えば、電子書籍端末１０は、裏面センサ１２１における操作位置に応じて、ページ送り量を異ならせてもよい。例えば、裏面センサ１２１の中央部が操作されれば、電子書籍端末１０はページ送り量を多くし、裏面センサ１２１の端部が操作されれば、電子書籍端末１０はページ送り量を少なくしてもよい。また、電子書籍端末１０は、例えば、１回だけ裏面センサ１２１を押す裏面操作を検出すると、ページ送り量を多くし、２回連続して裏面センサ１２１を押す裏面操作を検出すると、ページ送り量を少なくしてもよい。
【００６０】
電子書籍端末１０は、押す操作以外の操作方法でページ送りの方向を異ならせてもよく、スライド操作が行われた場合には、スライド操作における指の移動量や移動方向に応じたページ送り量としてもよいし、ユーザの２本の指を裏面センサ１２１に接触させてそれらの距離を狭めたり広くしたりする操作に応じたページ送り量としてもよい。
また、電子書籍端末１０は、裏面操作で裏面センサ１２１を押す操作が連続して行われた回数に応じたページ送り量を決定してもよい。この場合に、電子書籍端末１０は、例えば、裏面センサ１２１を押す操作が所定期間内に３回行われると、５ページ単位でページ送りを行い、裏面センサ１２１を押す操作が所定期間内に５回行われると、１０ページ単位でページ送りを行う。また、電子書籍端末１０は、裏面センサ１２１を押す速度（つまり単位時間当たりに裏面センサ１２１を押した回数）が多いほど、ページ送り量を多くしてもよい。
上述した第４実施形態においても、電子書籍端末１０がコンテンツの表示切り替えを行う契機となる裏面操作の具体的な操作方法として、前掲の様々な操作方法を採用することができる。
【００６１】
（変形例４）
電子書籍端末１０は、両手操作モードと片手操作モードという異なる操作モードを有し、片手操作モード時においてのみ、上述した各実施形態で説明した態様で、裏面操作に応じてコンテンツの表示を切り替えてもよい。この場合に、両手操作モード時の表示制御はどのように行ってもよく、電子書籍端末１０は、例えば表面操作に応じて表示制御を行い、裏面操作に応じた表示制御を行わないようにしてもよい。操作モードの判定については、電子書籍端末１０は、ユーザの手動設定で操作モードを判定してもよいし、ユーザにより行われた表面操作や裏面操作の検知結果を解析して、操作モードを自動判別してもよい。
【００６２】
（変形例５）
上述した各実施形態における、電子書籍端末１０が検出する裏面操作の操作方法を規定する具体的数値や具体的態様、画面例等はあくまで一例である。また、電子書籍端末１０は、ページ送り量を電子書籍のページ数で規定するのではなく、例えば、電子書籍の全ページ数に占めるページ数の比率や、章や単元で例示される所定の条件に基づいて分類されたコンテンツのまとまりの数等の、別の情報によってページ送り量を規定してもよい。
また、電子書籍端末１０は、ページ送り量やページ送りの方向と裏面操作の操作方法との関係を、ユーザが手動で設定できる構成を備えていてもよい。
【００６３】
（変形例６）
上述した各実施形態の電子書籍端末１０では、表面と裏面とが正反対の方向を向いていたが、電子書籍端末１０の形態はこれに限らない。電子書籍端末１０では、裏面操作時において表示面１４１にユーザの指が重ならない程度に、表面と裏面とが互いに反対の方向を向いていればよい。
【００６４】
（変形例７）
上述した各実施形態において、電子書籍端末１０は、ページ単位でのコンテンツの表示の切り替えと、電子書籍単位でのコンテンツの表示の切り替えとの両方を行っていたが、ページ単位でのコンテンツの表示の切り替えのみを行ってもよい。また、電子書籍端末１０は、上述した第１実施形態で説明したような、電子書籍単位でのコンテンツの表示の切り替えのみを行ってもよい。
【００６５】
（変形例８）
上述した各実施形態において、電子書籍端末１０は、表面操作や裏面操作を接触操作で検知していたが、例えば非接触の近接操作で検出してもよい。また、電子書籍端末１０は、表面操作を接触操作で検知するのではなく、物理キーの押下操作等で検知してもよい。この場合、電子書籍端末１０は表面センサ１２２を備えなくてよい。
【００６６】
（変形例９）
電子書籍端末１０は、電子書籍専用の表示端末でなくてもよく、例えばタブレット型コンピュータや携帯電話機、携帯型ゲーム機、携帯型音楽プレーヤ、ＰＤＡ（Personal Digital Assistant）等の、電子書籍のコンテンツを表示可能な他の表示端末であってもよい。
上述した実施形態において、電子書籍端末１０の制御部１１が実現する各機能は、複数のプログラムの組み合わせによって実現され、又は、複数のハードウェア資源の協働によって実現されうる。
また、本発明の電子書籍端末は、コンピュータや制御部１１が実行するプログラムや電子書籍のコンテンツの表示方法として把握することも可能である。
【符号の説明】
【００６７】
１０…電子書籍端末、１１…制御部、１１１…操作検出部、１１２…表示制御部、１２…操作部、１２１…裏面センサ、１２２…表面センサ、１３…通信部、１４…表示部、１４１…表示面、１５…記憶部。
【図１】
2014085768.tif 000003
【図２】
2014085768.tif 000004
【図３】
2014085768.tif 000005
【図４】
2014085768.tif 000006
【図５】
2014085768.tif 000007
【図６】
2014085768.tif 000008
【図７】
2014085768.tif 000009
【図８】
2014085768.tif 000010
【図９】
2014085768.tif 000011
【図１０】
2014085768.tif 000012
【図１１】
2014085768.tif 000013
【図１２】
2014085768.tif 000014
【図１３】
2014085768.tif 000015
【図１４】
2014085768.tif 000016
【図１５】
2014085768.tif 000017